(57)【要約】フレーム期間中にピクセルのオン状態のデューティー・サイクルを調整するドライバー回路を含む表示装置。好ましくは該ドライバー回路は比較器を含み、より好ましくは該比較器は差動対とインバーターとを構成する薄膜トランジスタから形成される。フレーム期間中にピクセルのオン状態のデューティー・サイクルを調整するステップを含む表示装置を駆動する方法も提供されている。有益には該表示装置は有機エレクトロルミネセンス・アクティブ・マトリクス表示装置である。【選択図】図２
2004510208.tif 000002
【特許請求の範囲】
【請求項１】
フレーム期間中にピクセルのオン状態のデューティー・サイクルを調整するドライバー回路を含む表示装置。
【請求項２】
マトリクス中の各ピクセルのためにそれぞれ１つの前記ドライバー回路が設けられている、請求項１に記載の表示装置。
【請求項３】
該ドライバー回路は比較器を含む、請求項１又は請求項２に記載の表示装置。
【請求項４】
該比較器は薄膜トランジスタから形成されている、請求項３に記載の表示装置。
【請求項５】
該薄膜トランジスタはポリシリコンから形成されている、請求項４に記載の表示装置。
【請求項６】
前記ドライバー回路は、該比較器の１入力に接続されたデータ記憶コンデンサと該比較器のもう一つの入力に接続された時間変化する信号ラインとを含む、請求項３〜５のいずれかに記載の表示装置。
【請求項７】
該比較器は差動対回路とインバーター回路とを含む、請求項３〜６のいずれかに記載の表示装置。
【請求項８】
該表示装置はアクティブ・マトリクス表示装置である、上記のいずれかの請求項に記載の表示装置。
【請求項９】
該表示装置は有機エレクトロルミネセンス表示装置である、上記のいずれかの請求項に記載の表示装置。
【請求項１０】
各ピクセルの発光エレメントのための共通操作電圧ラインと該共通操作電圧ラインとは別の駆動回路供給電圧ラインとを含む、請求項９に記載の表示装置。
【請求項１１】
フレーム期間中にピクセルのオン状態のデューティー・サイクルを調整するステップを含む表示装置を駆動する方法。
【請求項１２】
該デューティー・サイクルを調整する該ステップは、データ信号の、時間変化する信号との比較を含む、請求項１１に記載の方法。
【請求項１３】
鋸波形の形で時間変化する該信号を供給するステップを含む、請求項１２に記載の方法。
【請求項１４】
三角形の形状の波形で時間変化する該信号を供給するステップを含む、請求項１２に記載の方法。
【請求項１５】
アクティブ・マトリクス表示装置である表示装置を選択するステップを含む、請求項１２〜１４のいずれかに記載の方法。
【請求項１６】
連続する行に加えられる時間変化する該信号に行から行への位相ずれを与える共通波形発生装置を使用する該マトリクスの行を駆動するステップを含む、請求項１５に記載の方法。
【請求項１７】
請求項１〜１０のいずれかに記載されている表示装置を含む電子装置。
【発明の詳細な説明】
【０００１】
【産業上の利用分野】
本発明は表示装置に関し、特にその表示品質の改善に関する。本発明は、方法と電子装置とにも関する。
【０００２】
【従来の技術】
本発明が関連する表示装置の１例は有機エレクトロルミネセンス表示装置である。有機エレクトロルミネセンス装置（ＯＥＬＤ）は、有機発光材料の層（アクティブ層）を含み、それは、しばしば発光ポリマーであり、該アクティブ材料を通して電流を通すために使用される２つの電極の間に挟まれている。該装置は本質的にダイオードのようにふるまい、発光の強度は、使用される順方向バイアス電流の関数である。該装置は表示パネルの製作のための良好な候補である。
【０００３】
表示パネルについての基本的必要条件は、良好な品質のグラフィックイメージを表示する能力である。これは、或る範囲の輝度強度を生成する個々のピクセルの能力による。イメージの品質は、階調の数が大きくなるに従って改善してゆく。普通使用される標準は３×８ビット・カラーであり、これは１カラーあたり２５６階調と同等である。この標準は多くの今日のアプリケーションに使用されている。
【０００４】
アナログ駆動回路で階調を得るために、いろいろな方法がＯＥＬＤディスプレイのために提案されている。通常の手法は、電圧依存電流でＯＥＬＤを駆動することであり、これはアクティブ・マトリクスＯＥＬＤディスプレイの実現を可能にしている。この図１に代表的装置が図解されている。
【０００５】
図１に示されているように、トランジスタＴ１が選択されたとき（電圧Ｖｓｅｌにより）、それはオンに転じ、データ電圧（Ｖｄａｔ）がトランジスタＴ２のゲートに印加される。Ｔ２が飽和領域にバイアスされているとすると、データ電圧Ｖｄａｔは電流に変換され、それはＯＥＬＤを所要の輝度強度へ駆動する。
【０００６】
【発明が解決しようとする課題】
しかし、トランジスタのスレショルド電圧のバラツキは、上記表示パネルの実用的実現における非常に重要な問題である。もう一つの重要な問題は、これらの回路の大電力消費である。
【０００７】
階調に応じたデータ電圧を供給する代わりの方法は、好ましくは２進重み付き領域で各ピクセルを数個のサブ・ピクセルに分割する領域ディザリング法（ａｎ ａｒｅａ ｄｉｔｈｅｒｉｎｇ ｔｅｃｈｎｉｑｕｅ）を使用することである。各サブ・ピクセルは完全にオン又は完全にオフに駆動される。従ってディジタル・ドライバーを使用することができ、電力消費量が減少する。しかし、この手法にはパネルのサイズが大きくなり（各ピクセルが数個のサブ・ピクセルに置き換えられ、限界では各サブ・ピクセルは在来のピクセルと同じサイズであるので）、また必要な信号ラインの数が大幅に増える（各サブ・ピクセルにアドレス指定する必要があるので）という不利益がある。
【０００８】
この背景に抗して、本発明の目的は上記の不利益を軽減する良好なグレイスケール能力を有する表示装置を提供することである。
【０００９】
【課題を解決するための手段】
本発明に従って、フレーム期間中にピクセルのオン状態のデューティー・サイクルを調整するドライバー回路を含む表示装置が提供される。
【００１０】
本発明は、ピクセルのオン期間のパルス幅調整を提供し、人の目の積分機能はこれを放射された光の強度の調整として受け止める。オン期間の調整は、在来の輝度制御、即ち供給される電流の瞬時振幅の制御、と際だった対照をなす。
【００１１】
【実施の形態】
ここで、更なる例を挙げ、添付図面を参照して本発明の実施態様についてより詳しく説明する。
【００１２】
始めに、本発明の１実施態様に従うピクセル・レベル構成について説明する。図２は、アクティブなマトリクスＯＥＬＤ表示パネル内の個々のピクセル１０の回路図である。該回路は、ポリシリコンＴＦＴ素子を用いて実現されていて、ＭＯＳ入力比較器１２と２つのパス・ゲートＳＷ１及びＳＷ２を含んでいる。パス・ゲートの使用は、いわゆる“フィードスルー”、即ち他の回路電圧との結合、を回避する。比較器１２の反転入力（＋）は波形源Ｖｓａｗに接続されている。非反転入力（−）は、記憶コンデンサＣ１とパス・ゲートＳＷ１とに接続されている。パス・ゲートＳＷ１は波形Ｖｓｅｌにより制御される。該比較器の出力はパス・ゲートＳＷ２に接続されている。パス・ゲートＳＷ２は、有機発光エレメント１４に流入する電流を制御する。Ｖｓａｗに時間変化する信号を加えることにより、コンデンサＣ１及び比較器１２と比べてパス・ゲートＳＷ１の他方の側に加えられるデータ電圧Ｖｄａｔの値に依存する期間にわたって発光エレメント１４がオンに切り換えられる。
【００１３】
ライン・アット・ア・タイム（ａ ｌｉｎｅ−ａｔ−ａ−ｔｉｍｅ）駆動方式で、Ｖｓｅｌは同じ行の上のピクセル・エレメントのパス・ゲートＳＷ１の状態をセットする。パス・ゲートＳＷ１が閉じられているとき、データ電圧Ｖｄａｔが比較器１２の反転入力とコンデンサＣ１とへ渡される。その後、パス・ゲートＳＷ１が開かれると、データ電圧はコンデンサＣ１により記憶される。その後、波形Ｖｓａｗが開始される。比較器１２の反転入力における電圧Ｖ＋がその非反転入力における電圧Ｖ−より小さいとき、該比較器は発光エレメント１４をオン状態にするＬＯ信号を出力する。比較器１２の反転入力における電圧Ｖ＋がその非反転入力における電圧Ｖ−より大きいとき、該比較器は発光エレメント１４をオフ状態にするＨＩ信号を出力する。その結果として、コンデンサＣ１により記憶されているデータ電圧は、フレーム期間中に発光エレメント１４がオン状態にとどまっている期間を調整する。
【００１４】
フレーム期間は通常は２０ｍＳであるかも知れず、発光エレメント１４の応答時間はナノ秒の程度なので、ポリシリコンＴＦＴの速度と漂遊容量とが該駆動方式の作用の制限要因となる。即ち、非常に有効なスイッチングを得ることができる。
【００１５】
図２に図解されている回路では、共通の動作電圧ＶＯＥＬＤが同じタイプの全てのＯＥＬＤピクセルのために使用される。電圧ＶＯＥＬＤは外部で設定され、該駆動回路の供給電圧ＶＤＤには依存しない。これは、ＯＥＬＤについてのバイアス状態の制御の柔軟性を顕著に向上させる。
【００１６】
ここで、図２の回路に使用される比較器１２の実用的実現に適用される詳細な考慮事項について説明をする。
【００１７】
各ピクセルのために別々の比較器が設けられるので、該比較器の回路面積と電力消費量とはなるべく低く保たれなければならない。更に、多数のグレイスケールを達成するために、該比較器は入力電圧の小さな差を区別できなければならない。例えば、０Ｖから５Ｖまでの電圧振幅で２５６グレイスケールを実現したいならば、明らかに△Ｖ＝１９．５ｍＶ程度が適当である。スイッチングは非常に高速でなければならないけれども、上記の検討から、それは申し分なく前記の回路の能力の範囲内にある。
【００１８】
図２の比較器１２の１実施態様の詳しい回路図が図３において図解されている。図３の回路は２つの段：ＣＭＯＳ差動増幅器１６とＣＭＯＳインバーター１８と、を含む。ＣＭＯＳインバーター１８は、パス・ゲートＳＷ２を非常に急速に完全にオンに或いは完全にオフに転じさせる。レベルを変える目的のために、インバーター段１８の供給電力は差動段１６のそれとは違っていても良い。
【００１９】
差動段１６は、ＶＤＤレールとグランドとの間に接続されたトランジスタ２０、２１及び２３のドレーン・ソース直列接続回路と、同様に接続されたトランジスタ２０、２２及び２４の回路を含んでおり、トランジスタ２２及び２４はトランジスタ２１及び２３と並列に接続されている。トランジスタ２１及び２２のそれぞれのゲートは比較器１２の２つの入力端子（＋）、（−）を提供し、トランジスタ２０のゲートはバイアス電圧Ｖｂｉａｓを受け取る。出力段１８は２つのトランジスタ２５及び２６を含み、それらはＶＤＤレールとグランドとの間にソース・ドレーン直列接続されている。該比較器の出力Ｖｏｕｔはトランジスタ２５及び２６の間の接続からとられ、それらのゲートはトランジスタ２１及び２３の間の接合部から入力を受け取る。
【００２０】
図３に図解されている回路は７個のＴＦＴを使用している。ＳＷ１及びＳＷ２のためにそれぞれのＴＦＴを使用するとピクセルあたりの総数は９個になる。
【００２１】
ピクセル・レベル回路の上記実施態様を組み込んだ表示パネルの実施のいろいろな面についてここで説明をする。
【００２２】
図４は、図２の回路に使用することのできる波形を図解している。図４は２つの図（ａ）及び（ｂ）から成り、そこに波形Ｖｓｃａｎ、Ｖｓａｗ及びＶｏｕｔが示されている。Ｖｏｕｔは０ＥＬＤに加えられる駆動パルスである。図４（ａ）及び（ｂ）は、Ｖｓａｗに用いられる波形の形状において異なっている。図４（ａ）においてはＶｓａｗの波形は鋸波であり、図４（ｂ）においてはＶｓａｗの波形は三角形である。図４（ａ）の鋸波波形を使用すると、出力パルスは常に各フレームの始まりから始まる。従って図４（ａ）の鋸波形は、各フレームについて目が積分を開始する基準時点を与えるので、線形の階調を与える。図４（ｂ）の三角波形については出力パルスの中心は常にサイクルの中央に生じる。
【００２３】
基本的にはマトリクスの同じ行の全てのピクセルがＶｓａｗ／ｍと表示される同じ駆動波形を共有し、ここでｍはそれが考察されているマトリクスのｍ番目の行であることを示す。行が順番にアドレス指定されるとき、Ｖｓａｗ／ｍ＋１と表示される次の行についての駆動波形はＴｆｒａｍｅ／Ｍの遅延又は位相ずれを編入するべきであり、このＴｆｒａｍｅはフレーム期間であり、Ｍはマトリクスの行の総数である。従って、もし表示装置が外部から駆動されるならば合計Ｍ個の相互接続が必要である。これは、高解像度表示装置にとっては問題となる可能性がある。そこで、本発明の１実施態様に従って統合波形発生装置が提供され、これにより所要の相互接続の数を減らすことができる。
【００２４】
図５は統合波形発生装置の使用を図解している回路図である。波形発生装置３０は、別々のマスター電圧入力及び基準電圧入力Ｖｍａｓｔｅｒ及びＶｒｅｆを受け取る。波形発生装置３０はＶｓｃａｎ／ｍからも入力を受け取る。発生装置出力Ｖｓａｗ／ｍは、マトリクスの特定の行のピクセル１０の全てに加えられる。
【００２５】
しかし、理想的には、発生装置の機能はピクセル・エレメントの各行に独自の位相ずれを伴う同じ波形を供給することである。表示パネル上のＴＦＴ特性の空間的バラツキが考慮される時には正確なタイミング及びデータ電圧関係が主要な問題となる。しかし、この問題は、全ての波形発生装置からの出力が同じではあるけれども位相ずれにおいて異なっていることを保証するためにマスター・クロックＶｍａｓｔｅｒ及び基準電圧源Ｖｒｅｆを設けることにより解決されることができる。
【００２６】
波形発生装置はＶｓｃａｎ／ｍに同期させられるべきであり、従って信号Ｖｓｃａｎ／ｍはトリガーとして使用されることができる。
【００２７】
以上の記述から、一般化された同期駆動方式が図６に図解されている。ピクセルの２つの行と６個の列とが図解されている。赤、緑及び青を示すＲ、Ｇ、Ｂにより表示されているように；各ピクセルの発光エレメントは異なる色の光を放射して全色表示を実現するように設計されることができる。ピクセルはデータ・ドライバー３２及び行ドライバー３４により駆動される。各行のために別々の波形発生装置ＷＧが設けられ、使用される信号が図６に示されている。各波形発生装置が走査線信号に同期させられ、最小動作周波数はフレーム率に等しい。
【００２８】
表示装置は非同期にも駆動されることができる。非同期駆動方式が図７に示されている。この構成と図６に示されているそれとの差異は、１行あたりに１つを用いるのではなくて表示装置全体のために単一の波形発生装置が使用されていることである。この構成では波形発生装置は表示パネルに統合されることができ、或いはパネルの外部に容易に設けられることができる。波形は走査線信号から独立しており、従ってより高い操作周波数を使用してより良い画質を得ることができる。より高い周波数を使用することの重要性は図８Ａ及び８Ｂから分かり、即ち図８Ａ（低周波数ＶＤＲＶ）と比べて図８Ｂの改善された階調精度（高周波数ＶＤＲＶ）がたやすく明らかである。この現象は、動くイメージのためには重要であるけれども、静止イメージのためには実際上無視することができる。
【００２９】
ガンマ補償を駆動波形に組み込むことも可能である。これは図９Ａ及び９Ｂにおいて図解されており、これらは駆動電圧ＶＤＲＶに組み込まれたガンマ補正を示す。
【００３０】
図１０は、本発明の上記実施態様に採用され得るような鋸波形発生装置の詳細な回路図である。該回路はコンデンサＣ２０の１端子に加えられる入力信号Ｖｇｒａｙを受け取る。コンデンサＣ２０の他方の端子はスイッチＳＷ１０及びＳＷ２０の各々の一方の側に接続されている。これらのスイッチＳＷ１０及びＳＷ２０は、それぞれ信号φ１及びφ２により制御される。スイッチＳＷ２０の他方の側は、コンデンサＣ１０を介して、且つ信号Ｖｓｃａｎにより制御されるスイッチＳＷ３０を介して、グランドに接続されている。スイッチＳＷ２０、ＳＷ３０及びコンデンサＣ１０はユニティーゲインバッファー３６の入力に接続されている。スイッチＳＷ１０は、バッファー３６の出力からのフィードバック・ループを制御する。バッファー３６の出力は、抵抗器とコンデンサとから成る低域フィルターＬ．Ｐ．に加えられる。フィルターＬ．Ｐ．の出力は発生装置出力Ｖｓａｗを供給する。
【００３１】
上で記したように、該回路は４つの入力（Ｖｇｒａｙ、φ１，φ２及びＶｓｃａｎ）と１つの出力（Ｖｓａｗ）とを有する。入力波形は図１１に示されている。
【００３２】
波形Ｖｇｒａｙは０Ｖと最大レベル、例えばｈ、との間で動作する。波形φ１及びφ２は重なり合わないクロックパルスであり、Ｖｓｃａｎは走査線のと同じ信号である。ＶｓｃａｎがＨＩになるとき、データが前述したようにピクセル記憶コンデンサへ転送される。同時に、Ｖｓｃａｎは、ユニティーゲインバッファーの入力が０ＶでＣ１０が放電されることとなるようにＳＷ３０に閉じるように信号する。実際上、これはリセットとして作用して出力をゼロにする。ＶｓｃａｎがＬＯになるとき、ＳＷ３０が開かれる。ＳＷ２０が閉じていてＳＷ１０が開いているときには波形Ｖｇｒａｙ＝０Ｖである。Ｖｇｒａｙの０Ｖからｈへの遷移はユニティーゲインバッファーにおける入力電圧を高める。もしＣ１０＝Ｃ２０ならば、この増分はｈ／２に等しい。Ｖｇｒａｙ＝ｈであるときには、ＳＷ２０は開いていて、ＳＷ１０は閉じている。ユニティーゲインバッファー３２の入力電圧はＣ１０により記憶される。この電圧はユニティーゲインバッファーの出力により反映されて、Ｖｇｒａｙが０Ｖに戻る間にＣ２０に接続される。次にＳＷ１０が開き、ＳＷ２０が閉じ、その後にＶｇｒａｙは０Ｖからｈへ遷移する。これはユニティーゲインバッファー３２の入力における電圧を更に高める。もしＣ１０＝Ｃ２０であるならば、この増分はｈ／２に等しく、その結果としての電圧はｈとなる。これが継続し、ユニティーゲインバッファー３６の出力は階段状となる。もし出力が低域フィルターＬ．Ｐ．を通されたならば、出力信号は滑らかなランプとなる。
【００３３】
本発明による記述されている構成が既存のアナログ・ビデオ信号を入力信号として利用し得ることが認められる。
【００３４】
＜実施例＞
１例が上記の回路を用いてポリシリコンＴＦＴで実現された。０Ｖ〜５Ｖのデータ電圧範囲を用いて、２５６個の階調が実現された。
【００３５】
通常は始めの２０μｓで行われるデータ転送後、フレーム期間は２５６個のセクションに分割された。５０サイクル／ｓのフレーム率については、各々の追加の階調についての時間差は△ｔ＝１／５０÷２５６＝７８．１２５μｓであり、対応するデータ電圧差は△Ｖ＝５÷２５６＝１９．５３ｍＶである。階調＝０についてはＯＥＬＤを決してオンに転じさせてはならない。
【００３６】
図１２Ａ及び１２Ｂは、それぞれ、始めの５個（ＧＳ＝１〜５）と最後の５個（ＧＳ＝２５２〜２５６）の階調を示している。パルスの下の面積が計算され、階調に対してプロットされている。図１２Ａ及び１２Ｂに示されているように、階調内ではピクセル輝度の良好な直線性がある。しかし、傾斜の差が認められる。これは、回路の漂遊容量により生じるパルスのトレーリングエッジの丸い隅に起因すると考えられる。これは、下方の階調値についてより小さな輝度の変化をもたらす。これは重大な問題ではなくて、入力信号を調整することにより訂正されることができる。
【００３７】
ドライバーに必要な電流は、エレクトロルミネセンス・エレメントに流入する電流と比べると小さい。
【００３８】
一般的に、本発明で達成され得る画質は、在来の液晶表示装置より優れており、少なくとも在来のＣＲＴ表示装置に等しいことが分かっている。更に、本発明の表示装置は、必要な電力消費量が少ないので、移動装置及び携帯用装置のために理想的なものである。
【００３９】
＜他の実施態様＞
既に分かっているように、特定の実施態様に関連して前述された詳細の多くは有機エレクトロルミネセンス表示装置に関するものである；本発明は他の種類の表示装置にも適用可能である。更に、上記の実施態様はＴＦＴ技術、普通はポリシリコンのもの、を使用する特定の実施態様に言及している；本発明はＴＦＴ技術の使用には限定されない。本発明は、薄膜トランジスタ技術だけではなくてシリコンに基づくトランジスタにも適用可能である。シリコンに基づくトランジスタは、数種類の異なる方法を使用する表示基板上に配置されることができる。例えば、シリコンに基づくトランジスタは液体の中に配置されることができる。
【００４０】
本発明は、移動電話、コンピュータ、ＣＤプレーヤー、ＤＶＤプレーヤー等の小型で可動性の電子製品に用いるのに有利であるが、それらに限定はされない。
【００４１】
ここで、本発明による表示装置を使用する幾つかの電子装置を説明する。
【００４２】
＜１：移動コンピュータ＞
ここで、上記実施態様のうちの１つによる表示装置が移動パーソナルコンピュータに適用される例を説明する。
【００４３】
図１３は、このパーソナルコンピュータの外形を図解した等大図である。図において、パーソナルコンピュータ１１００はキーボード１１０２及び表示ユニット１１０６を含むボディー１１０４を備えている。表示ユニット１１０６は、前述したように、本発明に従って製作された表示パネルを用いて実現されている。
【００４４】
＜２：携帯電話＞
次に、該表示装置が携帯電話の表示セクションに応用されている例を説明する。図１４は携帯電話の外形を図解した等大図である。図において、携帯電話１２００は、複数の操作キー１２０２と、受話器口１２０４と、送話器口１２０６と、表示パネル１００とを備えている。この表示パネル１００は、前述したように、本発明に従って製作された表示パネルを使用して実現されている。
【００４５】
＜３：ディジタル・スチールカメラ＞
次に、ＯＥＬ表示装置をファインダーとして使用するディジタル・スチールカメラについて説明する。図１５は、ディジタル・スチールカメラの外形と外部装置への接続とを簡潔に図解した等大図である。
【００４６】
代表的なカメラは物体からの光学像に基づいてフィルムを感光させるが、ディジタル・スチールカメラ１３００は、例えば電荷結合素子（ＣＣＤ）を使用して光電変換により物体の光学像から画像信号を作る。デジタル・スチールカメラ１３００は、ＣＣＤからの画像信号に基づいて表示を行うためにケース１３０２の背面にＯＥＬエレメント１００を備えている。従って、表示パネル１００は物体を表示するためのファインダーとして機能する。光学レンズ及びＣＣＤを含む受光素子１３０４がケース１３０２の前側（図では後ろ）に設けられている。
【００４７】
カメラマンがＯＥＬエレメント・パネル１００に表示されている物体を決定してシャッターをレリーズすると、ＣＣＤからの画像信号が回路基板１３０４のメモリーへ送られて記憶される。ディジタル・スチールカメラ１３００では、データ通信のためのビデオ信号出力端子１３１２と入／出力端子１３１４とがケース１３０２の側に設けられている。もし必要ならば、図に示されているように、テレビジョン・モニター１４３０とパーソナルコンピュータ１４４０とがビデオ信号端子１３１２と入／出力端子１３１４とにそれぞれ接続される。回路基板１３０８のメモリーに記憶されている画像信号は、与えられた操作によりテレビジョン・モニター１４３０とパーソナルコンピュータ１４４０とへ出力される。
【００４８】
図１３に示されているパーソナルコンピュータ、図１４に示されている携帯電話、及び図１５に示されているディジタル・スチールカメラ以外の電子装置の例は、テレビジョンセット、ファインダー型及び監視型のビデオ・テープレコーダー、カー・ナビゲーション・システム、ページャー、電子ノートブック、携帯計算機、ワードプロセッサー、ワークステーション、ＴＶ電話、ポイント・オブ・セールス・システム（ＰＯＳ）端末装置、及びタッチパネルを備えた装置を含む。もちろん、本発明の上記実施態様は、これらの電子装置の表示セクションに応用されることができる。
【図面の簡単な説明】
【図１】
ＯＥＬＤ表示パネルにおける在来のピクセル・レベル・ドライバーの回路図である。
【図２】
本発明の１実施態様に従う、ＯＥＬＤ表示パネルにおけるピクセル・レベル・ドライバーの回路図である。
【図３】
図２の回路に示されている比較器の実現のための詳しい回路図と動作波形とを図解する。
【図４】
図２の回路における駆動波形を図解する。
【図５】
総合波形発生装置の使用法を図解した回路図である。
【図６】
一般化された同期駆動方式を図解する。
【図７】
一般化された非同期駆動方式を図解する。
【図８】
非同期駆動方式において高い周波数を使用することの重要性を示す。
【図９】
駆動電圧へのガンマ補正の編入を図解する。
【図１０】
鋸波発生装置の詳しい回路図である。
【図１１】
図１０の回路のための入力波形を示す。
【図１２】
特定の例において得られる階調を示す。
【図１３】
本発明に従うピクセル・ドライバーを有する表示装置を編入した移動パーソナルコンピュータの略図である。
【図１４】
本発明に従うピクセル・ドライバーを有する表示装置を編入した移動電話の略図である。
【図１５】
本発明に従うピクセル・ドライバーを有する表示装置を編入したディジタル・カメラの略図である。
【図１】
2004510208.tif 000003
【図２】
2004510208.tif 000004
【図３】
2004510208.tif 000005
【図４】
2004510208.tif 000006
【図５】
2004510208.tif 000007
【図６】
2004510208.tif 000008
【図７】
2004510208.tif 000009
【図８】
2004510208.tif 000010
【図９】
2004510208.tif 000011
【図１０】
2004510208.tif 000012
【図１１】
2004510208.tif 000013
【図１２】
2004510208.tif 000014
【図１３】
2004510208.tif 000015
【図１４】
2004510208.tif 000016
【図１５】
2004510208.tif 000017
【国際公開パンフレット】
2004510208.tif 000018
2004510208.tif 000019
2004510208.tif 000020
2004510208.tif 000021
2004510208.tif 000022
2004510208.tif 000023
2004510208.tif 000024
2004510208.tif 000025
2004510208.tif 000026
2004510208.tif 000027
2004510208.tif 000028
2004510208.tif 000029
2004510208.tif 000030
2004510208.tif 000031
2004510208.tif 000032
2004510208.tif 000033
2004510208.tif 000034
2004510208.tif 000035
2004510208.tif 000036
2004510208.tif 000037
2004510208.tif 000038
【国際公開パンフレット（コレクトバージョン）】
2004510208.tif 000039
【国際公開パンフレット（コレクトバージョン）】
2004510208.tif 000040
【国際調査報告】
2004510208.tif 000041
2004510208.tif 000042
2004510208.tif 000043
2004510208.tif 000044
2004510208.tif 000045
2004510208.tif 000046